(57)【特許請求の範囲】
【請求項１】
左側板部、右側板部、前記右側板部及び前記左側板部の夫々の後端部同士をつなぐ後板部、前板部を有する筐体を備え、
前記前板部の下端部のうち少なくとも左側部及び右側部には、後方に向けて延びる板状の後方延設部が夫々設けられ、
前記左側板部及び前記右側板部の夫々の下端部のうち少なくとも前側部には、前記筐体の左右方向の中央に向けて延びる板状の内方延設部が設けられ、
前記前板部の前記左側部の前記後方延設部及び前記左側板部の前記前側部の前記内方延設部、並びに前記前板部の前記右側部の前記後方延設部及び前記右側板部の前記前側部の前記内方延設部が夫々上下方向に互いに重合され、該互いに重合された重合部分が固定部材で固定されることで、前記左側板部及び前記右側板部と前記前板部とが相互に連結される加熱調理器において、
前記後方延設部及び前記内方延設部のうち上側に重なる側に、前記後方延設部及び前記内方延設部の重合位置において上側に突出する突出部が設けられ、
前記固定部材は、
上下方向に延びる柱状に形成された柱部と、
前記柱部の外側面に設けられた係止部と、
前記柱部の下端部に設けられ、前記柱部よりも外側に張り出して形成された張出部と
を備え、
前記柱部は、前記後方延設部及び前記内方延設部の前記重合部分を下側から上側に向けて貫通し、
前記筐体の下側に位置する前記張出部の上面部と、前記係止部との間に、前記後方延設部及び前記内方延設部が上下から挟持される状態で固定され、
前記張出部は、前記筐体を支持する脚部を兼ねること
を特徴とする加熱調理器。
【請求項２】
左側板部、右側板部、前記右側板部及び前記左側板部の夫々の後端部同士をつなぐ後板部、前板部を有する筐体を備え、
前記前板部の下端部のうち少なくとも左側部及び右側部には、後方に向けて延びる板状の後方延設部が夫々設けられ、
前記左側板部及び前記右側板部の夫々の下端部のうち少なくとも前側部には、前記筐体の左右方向の中央に向けて延びる板状の内方延設部が設けられ、
前記前板部の前記左側部の前記後方延設部及び前記左側板部の前記前側部の前記内方延設部、並びに前記前板部の前記右側部の前記後方延設部及び前記右側板部の前記前側部の前記内方延設部が夫々上下方向に互いに重合され、該互いに重合された重合部分が固定部材で固定されることで、前記左側板部及び前記右側板部と前記前板部とが相互に連結される加熱調理器において、
前記後方延設部及び前記内方延設部のうち上側に重なる側に、前記後方延設部及び前記内方延設部の重合位置において上側に突出する突出部が設けられ、
前記重合部分において、
前記後方延設部及び前記内方延設部のうち上側に重なる側には、左右方向に延びるスリットが設けられ、
下側に重なる側には、前記スリットの長手方向に対して平行に延び且つ上方に突出する板状に形成され、前記スリットに対して下側から差し込まれる差込片が設けられたこと
を特徴とする加熱調理器。
【請求項３】
前記スリット及び前記差込片は、
前記重合部分において、前記固定部材を前後に挟む位置に夫々設けられたこと
を特徴とする請求項２に記載の加熱調理器。
【発明の詳細な説明】
【技術分野】
【０００１】
本発明は、筐体を備えた加熱調理器に関する。
【背景技術】
【０００２】
従来、コンロの筐体は、左側板部、右側板部、それら両側板部の夫々の後端部同士をつなぐ後板部、前板部等で構成され、その内側には、バーナ本体等の種々の構成部品が配置される。このような筐体は、左右の両側板部と後板部とを一体に形成し、その左右両側板部に対して前板部を連結する方式が多く採用されている（例えば特許文献１参照）。具体的には、筐体の左右の両側板部には、その下端部のうち少なくとも前側部には、筐体の中央に延びる内方延設部が設けられ、前板部の下端部のうち少なくとも左右の両側部には、後方に延びる後方延設部が設けられている。そして、筐体の前側の左右両側において、内方延設部の上側に後方延設部を重ねて配置し、夫々を螺子等の固定部材を固定することにより、左右の両側板部と前板部とを互いに連結して、箱状の筐体が形成されるようにされている。
【先行技術文献】
【特許文献】
【０００３】
【特許文献１】特開平１１−３４４２２７号公報
【発明の概要】
【発明が解決しようとする課題】
【０００４】
しかしながら、内方延設部及び後方延設部はともに板状であるので、筐体の組付け工程において、上下に誤って重ね易いという問題点があった。
【０００５】
本発明の目的は、筐体の誤組付けを防止できる加熱調理器を提供することである。
【課題を解決するための手段】
【０００６】
請求項１に係る発明の加熱調理器は、左側板部、右側板部、前記右側板部及び前記左側板部の夫々の後端部同士をつなぐ後板部、前板部を有する筐体を備え、
前記前板部の下端部のうち少なくとも左側部及び右側部には、後方に向けて延びる板状の後方延設部が夫々設けられ、前記左側板部及び前記右側板部の夫々の下端部のうち少なくとも前側部には、前記筐体の左右方向の中央に向けて延びる板状の内方延設部が設けられ、前記前板部の前記左側部の前記後方延設部及び前記左側板部の前記前側部の前記内方延設部、並びに前記前板部の前記右側部の前記後方延設部及び前記右側板部の前記前側部の前記内方延設部が夫々上下方向に互いに重合され、該互いに重合された重合部分が固定部材で固定されることで、前記左側板部及び前記右側板部と前記前板部とが相互に連結される加熱調理器において、前記後方延設部及び前記内方延設部のうち上側に重なる側に、前記後方延設部及び前記内方延設部の重合位置において上側に突出する突出部が設けられ、前記固定部材は、上下方向に延びる柱状に形成された柱部と、前記柱部の外側面に設けられた係止部と、前記柱部の下端部に設けられ、前記柱部よりも外側に張り出して形成された張出部とを備え、前記柱部は、前記後方延設部及び前記内方延設部の前記重合部分を下側から上側に向けて貫通し、前記筐体の下側に位置する前記張出部の上面部と、前記係止部との間に、前記後方延設部及び前記内方延設部が上下から挟持される状態で固定され、前記張出部は、前記筐体を支持する脚部を兼ねることを特徴とする。
【０００７】
【０００８】
請求項２に係る発明の加熱調理器は、左側板部、右側板部、前記右側板部及び前記左側板部の夫々の後端部同士をつなぐ後板部、前板部を有する筐体を備え、前記前板部の下端部のうち少なくとも左側部及び右側部には、後方に向けて延びる板状の後方延設部が夫々設けられ、前記左側板部及び前記右側板部の夫々の下端部のうち少なくとも前側部には、前記筐体の左右方向の中央に向けて延びる板状の内方延設部が設けられ、前記前板部の前記左側部の前記後方延設部及び前記左側板部の前記前側部の前記内方延設部、並びに前記前板部の前記右側部の前記後方延設部及び前記右側板部の前記前側部の前記内方延設部が夫々上下方向に互いに重合され、該互いに重合された重合部分が固定部材で固定されることで、前記左側板部及び前記右側板部と前記前板部とが相互に連結される加熱調理器において、前記後方延設部及び前記内方延設部のうち上側に重なる側に、前記後方延設部及び前記内方延設部の重合位置において上側に突出する突出部が設けられ、前記重合部分において、前記後方延設部及び前記内方延設部のうち上側に重なる側には、左右方向に延びるスリットが設けられ、下側に重なる側には、前記スリットの長手方向に対して平行に延び且つ上方に突出する板状に形成され、前記スリットに対して下側から差し込まれる差込片が設けられたことを特徴とする。
【０００９】
請求項３に係る発明の加熱調理器は、請求項２に記載の構成に加え、前記スリット及び前記差込片は、前記重合部分において、前記固定部材を前後に挟む位置に夫々設けられたことを特徴とする。
【発明の効果】
【００１０】
請求項１に係る発明の加熱調理器では、内方延設部と後方延設部を互いに上下逆に重ね合わせた場合、突出部により両延設部間が浮き上がる。これにより、各延設部を重ね合わせた後で、固定部材で固定する前の仮組みの段階で、各延設部の重ね順が誤っていることを作業者に認識させることができる。よって、筐体の誤組み付けを防止できる。
【００１１】
加熱調理器では、固定部材の柱部を、内方延設部と後方延設部に夫々貫通させることで、柱部側の係止部と筐体の下側に位置する張出部とで、両延設部を上下から挟持する状態で両延設部を固定する。これにより、螺子止め等を不要化できるので、組み付け性を向上できる。また、固定部材の張出部が、筐体の脚部を兼ねるので、部品点数を削減できる。
【００１２】
請求項２に係る発明の加熱調理器では、後方延設部及び内方延設部において、上側に重なる側に設けられたスリットに対して、下側に重なる側に設けられた差込片が下側から差し込まれる。これにより、各延設部の仮組みを容易化できるので、固定部材による両延設部の固定を容易にできる。また、差込片は、スリットの形状に合わせて左右方向に延びる板状に形成されているので、左右方向からの負荷に対して剛性が大きい。例えば、筐体が左右方向からの衝撃を受けた場合、内方延設部及び後方延設部の重合部分において互いに左右方向にずれる力が働くが、差込片は左右方向に対して剛性が大きいので、差込片が折れ曲がってスリットから抜けてしまうことを防止できる。
【００１３】
請求項３に係る発明の加熱調理器では、請求項２に記載の効果に加え、スリット及び差込片は、内方延設部と後方延設部の重合部分において、固定部材を前後に挟む位置に夫々設けられているので、筐体に対して衝撃により力が加わったとしても、柱部周辺で両延設部に加わる力の方向を揃えることができる。これにより、柱部が内方延設部及び後方延設部によって破断されるように作用することを防止できる。
【図面の簡単な説明】
【００１４】
【図１】ガスコンロ１の斜視図である。
【図２】図１に示すガスコンロ１の筐体２から天板を取り外した斜視図である。
【図３】筐体２の前板部２４の前面左側の部分拡大図である。
【図４】筐体２の前側の左下角部を下方から見上げた図である。
【図５】筐体２の前側の左下角部を筐体２の内側上方から見下ろした図である。
【図６】固定部材６０周囲の断面図である。
【発明を実施するための形態】
【００１５】
以下、本発明の実施形態について、図面を参照して説明する。以下に記載されている装置の構造などは、特に特定的な記載がない限り、それのみに限定する趣旨ではなく、単なる説明例である。図面は、本発明が採用しうる技術的特徴を説明するために用いられるものである。なお、以下説明では、図中に矢印で示す上下、左右、前後を使用する。
【００１６】
図１，図２を参照して、ガスコンロ１の外観構造を説明する。ガスコンロ１は、本発明の加熱調理器の一例である。ガスコンロ１は、略直方体状の筐体２を備える。筐体２は金属製であり、上面が開口する略直方体状に形成されている。底面の四隅には、樹脂製の底面視略円形状の後述する張出部６２（図４参照）が下方に突出して設けられる。４つの張出部６２は、ガスコンロ１の脚部として機能し、図示しないキッチン等に設けられたコンロ台等に載置される。筐体２の上部には、上面の開口を閉塞するように、天板３が取り付けられている。天板３の上面の右側には右コンロバーナ５、左側には左コンロバーナ６が設けられている。右コンロバーナ５と左コンロバーナ６に挟まれる部分の後方には、グリル排気口（図示略）が設けられている。グリル排気口は、筐体２内に設置されるグリル庫（図示略）から延びる排気筒（図示略）と連通し、グリル庫内の燃焼ガスを排出する。グリル排気口には、複数の孔を備える排気カバー８が上方から設置されている。
【００１７】
筐体２の前面の左右方向略中央部には、グリル庫（図示略）の前面に設けられたグリル開口（図示略）に連通するグリル用開口部（図示略）が設けられている。グリル用開口部の前側には、グリル扉１０が前後方向に移動可能に設けられている。グリル扉１０はグリル用開口部を開閉する。グリル扉１０の前面は、筐体２の前方に対して上部から下部にかけて斜め下方に傾斜している。グリル扉１０の前面の下部には、前方に突出する取手１０Ａが設けられている。ユーザは、グリル扉１０の取手１０Ａを手前側に引き出すと、グリル扉１０の背面下部に連結した受け皿（図示略）と焼き網を、グリル庫７内から同時に取り出すことができる。
【００１８】
筐体２の前面には、後述する前板部２４（図２，図３参照）が設けられ、その前板部２４の前面において、グリル扉１０の右側には、樹脂製の右側フロントパネル９１が装着され、グリル扉１０の左側には、樹脂製の左側フロントパネル９２が装着されている。右側フロントパネル９１の前面の下側には、点火スイッチ１１，１２が左右方向に並んで設けられている。点火スイッチ１１は、グリル扉１０の右側に隣接して設けられ、右コンロバーナ５の点火・消火の操作を行う。点火スイッチ１２は、点火スイッチ１１の右隣に設けられ、グリル庫内に設けられた一対のグリルバーナ（図示略）の点火・消火の操作を行う。一対のグリルバーナとは、グリル庫内の上下に設けられた上バーナ及び下バーナ（図示略）である。
【００１９】
点火スイッチ１１の上方には、火力調節レバー１６が設けられ、点火スイッチ１２の上方には、火力調節レバー１７が設けられている。火力調節レバー１６は、略水平方向におけるスライド操作によって、右コンロバーナ５の火力調節を行う。火力調節レバー１７は、上火用調整レバー１７Ａと下火用調整レバー１７Ｂを上下に備える。上火用調整レバー１７Ａは、略水平方向におけるスライド操作によって、上バーナの火力調節を行う。下火用調整レバー１７Ｂは、略水平方向におけるスライド操作によって、下バーナの火力調節を行う。
【００２０】
他方、左側フロントパネル９２の前面部の下側には、点火スイッチ１３、及び電池ケース１５が左右方向に並んで設けられている。点火スイッチ１３は、グリル扉１０の左側に隣接して設けられ、左コンロバーナ６の点火・消火の操作を行う。電池ケース１５は、点火スイッチ１３の左隣に設けられ、ガスコンロ１の電源として、例えば２つの乾電池を格納する。点火スイッチ１３の上方には、火力調節レバー１８が設けられている。火力調節レバー１８は、略水平方向におけるスライド操作によって、左コンロバーナ６の火力調節を行う。
【００２１】
図２を参照し、筐体２の構造を説明する。筐体２は、筺体本体部２０、前板部２４の二つの板金部材を互いに組み付け、ネジで固定することによって構成されている。筺体本体部２０は、前側が開口する平面視略Ｕ字形状に形成されている。筺体本体部２０は、右側板部２１、左側板部２２、後板部２３を備える。後板部２３は、右側板部２１及び左側板部２２の夫々の後端部同士を繋いでいる。そのような筺体本体部２０の開口する前側に、正面視略矩形状の前板部２４がネジで組み付けられている。
【００２２】
図３〜図５を参照し、前板部２４の構造を説明する。ここでは、前板部２４の左側の構造を中心に説明する。図３に示すように、前板部２４は垂直に立設されている。前板部２４の正面における左右方向の略中央部には、グリル用開口部（図示略）が設けられている。グリル用開口部は正面視略矩形状であり、グリル庫（図示略）の前面に設けられたグリル開口（図示略）に対向する。そのグリル用開口部の左側には、正面視矩形状の開口部３１が設けられている。開口部３１の内側には、左側フロントパネル９２の裏面側に固定される電装基盤（図示略）、点火スイッチ１３、電池ケース１５等が配置される。開口部３１の右側上方には、レバー用開口部３２が設けられている。レバー用開口部３２は、左右方向に延びる正面視略矩形状に形成されている。レバー用開口部３２の内側には、火力調節レバー１８（図２参照）が、筐体２の内側から前方に突出し、左右方向にスライド可能に設けられる。
【００２３】
図３，図５に示すように、前板部２４の上端部には、上側受け部２４１が設けられている。上側受け部２４１は、段付き状に形成され、前板部２４の上端部に沿って左右方向に設けられている。上側受け部２４１は、前側水平部２４１Ａ、垂直部２４１Ｂ、後側水平部２４１Ｃを備える。前側水平部２４１Ａは、前板部２４の上端部から後方に略水平に延びる部分である。垂直部２４１Ｂは、前側水平部２４１Ａの後端部から略垂直上方に延びる部分である。後側水平部２４１Ｃは、垂直部２４１Ｂは、垂直部２４１Ｂの上端から後方に略水平に延びる部分である。そのような上側受け部２４１に対し、天板３の前端側が上方から載置して係合され、ネジ（図示略）等で固定される。
【００２４】
前板部２４の左端部の下端側を除く全部位には、左側固定部２４２が設けられている。左側固定部２４２は、前板部２４の左端部から後方に延び、さらにその先端側が左側方に屈曲する平面視略Ｌ字状（図５参照）に形成されている。左側固定部２４２は、左側板部２２の前端部に設けられた後述する前側固定部２２１の前面に当接し、上下二つのネジ９０で固定される。なお、図示しないが、前板部２４の右端部にも、左側固定部２４２と左右対称形状の右側固定部が設けられ、右側板部２１の前端部に設けられた前側固定部（図示略）の前面に当接し、上下二つのネジ（図示略）で固定される。
【００２５】
図４，図５に示すように、前板部２４の下端部には、後方延設部２４３が設けられる。後方延設部２４３は、前板部２４の下端部から後方に略水平に延び、底面視略矩形状に形成されている。後方延設部２４３は、左側板部２２の下端部に沿って設けられた後述する右方延設部２２２の上面に重合して固定される部分である。後方延設部２４３の前後方向の長さは、例えば、筐体２の底面の前後方向長さの約１／３である。図５に示すように、そのような後方延設部２４３の左端部３７であって、且つ前側部分を除く部位には、左側方にさらに延出する幅広部３８が設けられている。その幅広部３８の左端部に沿って、上方に突出するリブ３９が設けられている。リブ３９が設けられる部分は、左側板部２２の下端部に沿って設けられた後述する右方延設部２２２の上面に重合される部分である。
【００２６】
図５に示すように、幅広部３８の前端部近傍には、平面視略円形状の取付穴４０（図６参照）が設けられている。この取付穴４０には、後述する固定部材６０が上下方向に挿通して取り付けられる。さらに、後方延設部２４３において、取付穴４０を前後方向から挟む位置には、一対のスリット３５，３６が設けられている。スリット３５は、取付穴４０から前方に離れた位置に設けられ、スリット３６は取付穴４０から後方に離れた位置に設けられている。スリット３５，３６は、左右方向に長い矩形状の長孔である。これらスリット３５，３６には、左側板部２２の後述する右方延設部２２２に設けられた差込片４５，４６が下方から夫々差し込まれる。なお、図示しないが、後方延設部２４３の右端側にも、左端側と同様に、幅広部、リブ、取付穴、一対のスリット等が設けられている。
【００２７】
図３〜図５を参照し、左側板部２２の構造を説明する。なお、右側板部２１及び左側板部２２は、互いに略左右対象形状であるので、ここでは、左側板部２２の構造を説明し、右側板部２１の構造の説明は省略する。左側板部２２は、左側面視前後方向に長い略矩形状に形成されている。左側板部２２の前端部には、右方に屈曲して延びるリブ状の前側固定部２２１が設けられている。前側固定部２２１は、正面視上下方向に長い略矩形状に形成されている。前側固定部２２１の上下には、一対の固定穴（図示略）が設けられている。該一対の固定穴は、前板部２４の左端部に設けられた左側固定部２４２の上下に設けられた一対の固定穴に夫々対応する。前側固定部２２１の前面に対し、左側固定部２４２が当接され、左側固定部２４２に設けられた一対の固定穴と、前側固定部２２１に設けられた一対の固定穴とに対し、ネジ９０が夫々締結される。これにより、前側固定部２２１に左側固定部２４２が固定されるので、左側板部２２の前端部に前板部２４の左端部が固定される。
【００２８】
前側固定部２２１の下側には、正面視逆Ｌ字状の切欠き部４２が設けられている。切欠き部４２と前板部２４の左端部との間に、正面視矩形状の開口部４３が形成されている。図３に示すように、筐体２の正面を見たときに、開口部４３の内側を介して、前板部２４の後方延設部２４３と、左側板部２２の後述する右方延設部２２２との重合部分が確認できる。
【００２９】
左側板部２２の下端部には、右方延設部２２２が設けられている。右方延設部２２２は、左側板部２２の下端部から右方に略水平に延び、底面視前後方向に長い略矩形状に形成されている。右方延設部２２２の右端部５１側の上面には、前板部２４の下端部に設けられた後方延設部２４３の左端側の下面が重合される。図４に示すように、右方延設部２２２の右端部５１の前側には、左方に向かって凹状に窪んだ凹部５２が設けられている。右端部５１において凹部５２よりも前側部分には、右方にさらに延出する底面視略矩形状の被載置部５３が形成されている。
【００３０】
被載置部５３の前後方向の長さは、前板部２４の後方延設部２４３に設けられた一対のスリット３５，３６の離間距離に対応する。被載置部５３の前端部５３Ａの右端側には、上方に屈曲して突出する差込片４５が設けられている。他方、被載置部５３の後端部５３Ｂの右端側には、上方に屈曲して突出する差込片４６が設けられている。図５に示すように、差込片４５，４６は、側面視略半円形状に形成されている。被載置部５３の略中央部には、略円形状の取付穴５５（図６参照）が設けられている。図６に示すように、取付穴５５は、左側板部２２の右方延設部２２２の上面に、前板部２４の後方延設部２４３の下面が重合されたときに、後方延設部２４３に設けられた取付穴４０と相対する位置に配置されている。取付穴５５には、取付穴４０と共に、後述する固定部材６０が上下方向に挿通して取り付けられる。これにより、右方延設部２２２の上面に対し、後方延設部２４３の下面が重合した状態で固定される。
【００３１】
図５，図６を参照し、固定部材６０の構造を説明する。固定部材６０は、可撓性を有する樹脂で形成され、柱部６１及び張出部６２を同軸上に備える。柱部６１は、上下方向に延びる略円筒状に形成され、その内側には、軸穴６１Ａが形成されている。柱部６１の外周面において、軸穴６１Ａを中央に挟んで互いに対向する位置には、係止部６３，６４が夫々設けられている。係止部６３は、垂直部６３Ａと傾斜部６３Ｂを備える。垂直部６３Ａは、係止部６３の上端部から下方に延びる垂直部分である。傾斜部６３Ｂは、垂直部６３Ａの下端部から径方向外側になだらかに下り傾斜する側面視略三角形状の部分である。係止部６３の左右両側と下側には、軸穴６１Ａと連通する正面視略Ｕ字状のスリット６５が設けられている。これにより、係止部６３は、垂直部６３Ａを介して柱部６１に支持され、外部からの付勢力に応じて径方向内側に移動できる。
【００３２】
係止部６４は、係止部６３と同様に、垂直部６４Ａと傾斜部６４Ｂを備える。垂直部６４Ａは、係止部６４の上端部から下方に延びる垂直に部分である。傾斜部６４Ｂは、垂直部６４Ａの下端部から径方向外側になだらかに下り傾斜する側面視略三角形状の部分である。係止部６４の左右両側と下側には、軸穴６１Ａと連通する正面視略Ｕ字状のスリット６６が設けられている。これにより、係止部６４も、垂直部６４Ａを介して柱部６１に支持され、外部からの付勢力に応じて径方向内側に移動できる。
【００３３】
図６に示すように、張出部６２は、柱部６１の下端部に対して隙間６９を空けて同軸上に連結され、柱部６１の径よりも大きい略円盤状に形成されている。よって、固定部材６０を上方から見下ろしたときに、張出部６２は、柱部６１の外周縁から径方向外側に放射状に張り出している。張出部６２は、上側張出部６７及び下側張出部６８を備える。上側張出部６７は略円盤状に形成されている。上側張出部６７の上面の略中心部は、柱部６１の下端部に連結されている。上側張出部６７の下面には、外周縁部を除いて上方に窪んだ底面視略円形状の凹部７１が設けられている。凹部７１の内側上面には、凹部７１よりも小さい径の円周上に沿って複数の凸部７２が周方向に互いに間隔を空けて設けられている。
【００３４】
他方、下側張出部６８は、上側張出部６７よりもやや径の小さい略円筒状に形成され、上側張出部６７の下面に設けられた凹部７１の内側に対して軸方向に嵌合される。下側張出部６８の内側には、軸方向に貫通する軸穴８１が設けられている。下側張出部６８の上面の外周縁部に沿って、上方に突出する平面視リング状のリブ８２が設けられている。リブ８２は、上側張出部６７の下面に設けられた凹部７１と凸部７２の間に嵌合される。さらに、下側張出部６８の上面には、リブ８２よりも小さい径の円周上に沿って複数の凸部８３が周方向に互いに間隔を空けて設けられている。複数の凸部８３は、上側張出部６７の下面に設けられた複数の凸部７２同士の隙間の位置に対応する。よって、複数の凸部８３は、凸部７２同士の隙間の位置に嵌合される。上側張出部６７及び下側張出部６８は上下方向に嵌合することで、張出部６２を構成する。
【００３５】
図４，図５を参照し、前板部２４の後方延設部２４３と、左側板部２２の右方延設部２２２とを互いに仮組みして、固定部材６０で固定するときの作業工程を説明する。作業者は、先ず、左側板部２２の右方延設部２２２の前端側の上面に対し、前板部２４の後方延設部２４３の左端側の下面を重ね合わせて仮組みを行う。このとき、図５に示すように、後方延設部２４３の幅広部３８の左端部に設けられたリブ３９は、右方延設部２２２の上面に位置する。それ故、右方延設部２２２の上面に対し、後方延設部２４３の左端側の下面が当接する。このとき、右方延設部２２２に設けられた取付穴５５に対し、後方延設部２４３に設けられた取付穴４０を位置決めすると共に、右方延設部２２２に設けられた一対のスリット３５，３６に対して、後方延設部２４３に設けられた差込片４５，４６を下方から夫々差し込む。
【００３６】
そして、右方延設部２２２及び後方延設部２４３の仮組みが終わった段階で、上下方向に位置決めされた取付穴４０，５５に対して、下方から固定部材６０を挿入して取り付ける。このとき、取付穴４０，５５の夫々の内周縁部は、固定部材６０に設けられた係止部６３，６４の垂直部６３Ａ，６４Ａと傾斜部６３Ｂ，６４Ｂの外周面を下方に摺動する。取付穴４０，５５の夫々の内周縁部が傾斜部６３Ｂ，６４Ｂの外周面を摺動するに従い、垂直部６３Ａ，６４Ａが径方向内側に撓むことによって、係止部６３，６４は径方向内側に押し込まれる。これにより、固定部材６０の柱部６１を、取付穴４０，５５に対し下方から挿入できる。
【００３７】
そして、取付穴４０，５５の夫々の内周縁部が、係止部６３，６４の傾斜部６３Ｂ，６４Ｂの下部を下方に乗り越えたとき、垂直部６３Ａ，６４Ａの弾性復帰力によって、傾斜部６３Ｂ，６４Ｂは径方向外側に移動して元の位置に戻る。これにより、取付穴４０，５５の夫々の内周縁部が隙間６９に嵌り込むと共に、傾斜部６３Ｂ，６４Ｂの夫々の下面が張出部６２の上側張出部６７の上面に係止する。即ち、右方延設部２２２及び後方延設部２４３は互いに重合された状態で、固定部材６０の柱部６１の下面と、張出部６２の上側張出部６７の上面との間に挟み込まれる。このようにして、右方延設部２２２及び後方延設部２４３は、固定部材６０によって互いに固定される。
【００３８】
そして、前板部２４の後方延設部２４３の下面に重合する左側板部２２の右方延設部２２２に設けられた取付穴５５から、固定部材６０の張出部６２のみが下方に突出された状態となるので、ガスコンロ１の脚部として機能させることができる。これにより、前板部２４の後方延設部２４３と、左側板部２２の右方延設部２２２とを、固定部材６０で固定する作業工程が終了する。
【００３９】
上記作業工程において、作業者が誤って、右方延設部２２２と後方延設部２４３とを互いに上下逆に重合してしまった場合、即ち、後方延設部２４３の上面に、右方延設部２２２の下面を重合してしまった場合、後方延設部２４３の幅広部３８の左端部に設けられたリブ３９の上部に対して、右方延設部２２２の下面が当接するので、後方延設部２４３と右方延設部２２２の間が浮き上がる。これにより、後方延設部２４３と右方延設部２２２を重合した後で、固定部材６０で固定する前の仮組みの段階で、後方延設部２４３と右方延設部２２２の重ね順が誤っていることを、作業者に速やかに認識させることができる。よって、本実施形態は、筐体２の誤組み付けを効果的に防止できる。
【００４０】
また、本実施形態は、固定部材６０の柱部６１を、右方延設部２２２の取付穴５５と、後方延設部２４３の取付穴４０とに夫々貫通させることで、柱部６１の係止部６３，６４と筐体２の下側に位置する張出部６２とで、右方延設部２２２と後方延設部２４３を上下から挟持する状態で、右方延設部２２２と後方延設部２４３を重合した状態で固定する。これにより、ネジ止め等を不要化できるので、筐体２の組み付け性を向上できる。また、固定部材６０の張出部６２が筐体２の脚部を兼ねることができるので、ガスコンロ１の部品点数を削減できる。
【００４１】
また、本実施形態では、右方延設部２２２と後方延設部２４３において、上側に重なる後方延設部２４３に設けられたスリット３５，３６に対して、下側に重なる右方延設部２２２に設けられた差込片４５，４６が下側から差し込まれる。これにより、右方延設部２２２と後方延設部２４３の仮組みを容易化できるので、固定部材６０による右方延設部２２２と後方延設部２４３の固定作業を容易にできる。
【００４２】
また、差込片４５，４６は、スリット３５，３６の形状に合わせて、左右方向に延びる板状に形成されているので、左右方向からの負荷に対して剛性が大きい。例えば、ガスコンロ１を誤って地面に落下させてしまい、筐体２が左右方向から衝撃を受けた場合、右方延設部２２２と後方延設部２４３の重合部分において互いに左右方向にずれる力が働く。これに対し、本実施形態の差込片４５，４６は左右方向に対して剛性が大きいので、差込片４５，４６が折れ曲がってスリット３５，３６から抜けてしまうことを防止できる。
【００４３】
また、本実施形態では、スリット３５，３６及び差込片４５，４６は、右方延設部２２２と後方延設部２４３の重合部分において、固定部材６０を前後に挟む位置に夫々設けられている。これにより、筐体２に対して衝撃により力が加わったとしても、柱部６１周辺で右方延設部２２２と後方延設部２４３に加わる力の方向を揃えることができる。これにより、柱部６１が右方延設部２２２と後方延設部２４３によって破断されるように作用することを防止できる。
【００４４】
また、図６に示すように、ガスコンロ１は、固定部材６０の張出部６２のみを筐体２の底面において下方に突出させ、ガスコンロ１を支持する脚部として機能させることができる。さらに、張出部６２の上下方向の厚みだけで、筐体２の脚部を構成できるので、筐体２の底面と作業台との間の隙間Ｐ（図３参照）を小さくできる。これにより、筐体２の底面と作業台との間にネズミ等が入り込むのを防止できる。
【００４５】
なお、詳述しないが、前板部２４の後方延設部２４３と、右側板部２１の左方延設部（図示略）とを、固定部材６０で固定する作業工程についても、上記と同様の作業工程である。左方延設部は、右側板部２１の下端部から左方に延設される部分である。左方延設部の上面に対し、後方延設部２４３の下面が重合されて仮組みが行われた状態で、固定部材６０によって固定される。
【００４６】
以上説明したように、本実施形態のガスコンロ１は筐体２を備える。筐体２は、左側板部２２、右側板部２１、右側板部２１及び左側板部２２の夫々の後端部同士をつなぐ後板部２３、前板部２４を有する。前板部２４の下端部には、後方に向けて延びる板状の後方延設部２４３が設けられている。左側板部２２の下端部には、筐体２の右方に延びる板状の右方延設部２２２が設けられている。右方延設部２２２の上面に対し、後方延設部２４３が重合され、該互いに重合された重合部分が固定部材６０で固定されることで、左側板部２２と前板部２４とが相互に連結される。このようなガスコンロ１において、右方延設部２２２の上面に重なる後方延設部２４３において、上側に突出するリブ３９が設けられている。これにより、作業者が誤って仮に、右方延設部２２２と後方延設部２４３とを互いに上下逆に重合してしまった場合、後方延設部２４３に設けられたリブ３９の上部に対して、右方延設部２２２の下面が当接するので、後方延設部２４３と右方延設部２２２の間が浮き上がる。これにより、後方延設部２４３と右方延設部２２２を重合した後で、固定部材６０で固定する前の仮組みの段階で、後方延設部２４３と右方延設部２２２の重ね順が誤っていることを、作業者に速やかに認識させることができる。よって、筐体２の誤組み付けを効果的に防止できる。
【００４７】
上記説明において、右方延設部２２２が本発明の「内方延設部」の一例であり、リブ３９が本発明の「突出部」の一例である。
【００４８】
なお、本発明は上記実施形態に限定されるものではなく、種々の変更が可能である。上記実施形態はガスコンロ１であるが、上記と同様の構造の筺体を備える加熱調理器にも適用可能であり、例えば、グリル装置、電磁調理器等にも適用可能である。
【００４９】
また、上記実施形態において、前板部２４の後方延設部２４３は、前板部２４の下端部の全部位に沿って設けられているが、前板部２４の下端部のうち少なくとも左側部及び右側部に設ければよい。
【００５０】
また、上記実施形態において、左側板部２２の右方延設部２２２は、左側板部２２の下端部のうち少なくとも前側部に設ければよい。右側板部２１の左方延設部についても同様である。
【００５１】
また、上記実施形態の固定部材６０の張出部６２の形状は、上記実施形態に限定されない。例えば、上側張出部６７及び下側張出部６８は一体化させてもよい。また、上側張出部６７及び下側張出部６８の材質は、互いに同じ樹脂でもよいが、材質を変えてもよい。例えば、上側張出部６７を樹脂、下側張出部６８をゴムにしてもよい。また、上側張出部６７及び下側張出部６８の硬さを異ならせてもよい。
【００５２】
また、上記実施形態では、前板部２４の後方延設部２４３の左端部には、上側に突出するリブ３９を設けているが、上側に突出する形状であればよい。また、後方延設部２４３の左端部にリブ３９を設ける以外に、右方延設部２２２と重合する部分であればよく、例えば、後方延設部２４３の上面において上方に突出する突出部を設けてもよい。
【符号の説明】
【００５３】
１      ガスコンロ
２      筐体
２０      側板部
２１      右側板部
２２      左側板部
２３      後板部
２４      前板部
３５，３６      スリット
３９      リブ
４５，４６      差込片
６０      固定部材
６１      柱部
６２      張出部
６３，６４      係止部
２２２      右方延設部
２４３      後方延設部
【図１】
0006650709.tif 000002
【図２】
0006650709.tif 000003
【図３】
0006650709.tif 000004
【図４】
0006650709.tif 000005
【図５】
0006650709.tif 000006
【図６】
0006650709.tif 000007